(57)【要約】【課題】円板状金属プレートの締め付け作業性が優れると共に、高い締め付け強度が取得可能なプレート締め付け用工具、およびこのプレート締め付け用工具を使用して円板状金属プレートを容易かつ正確に締め付ける方法を提供する。【解決手段】コンクリート系パネルの表面に設けた円形座堀り穴の中心に配設固定された棒状金具の先端に、円形座堀り穴とほぼ同一形状の円板状金属プレートを締め付けるために使用するプレート締め付け用工具であって、回転工具が挿着される駆動軸１１と、この駆動軸１１の一端側を中心として駆動軸１１に固着された板状部１２と、この板状部１２の反駆動軸１１側面周縁における円板状金属プレートに形成された複数の孔部と合致する位置に突設された複数の爪部１３とからなり、板状部１２の中央に、駆動軸１１側に窪んだ凹部１４を有することを特徴とする。【選択図】　　図１
2004052402.tif 000002
【特許請求の範囲】
【請求項１】
コンクリート系パネルの表面に形成した円形座堀穴の中心に配設固定された棒状金具の先端に、前記円形座堀穴とほぼ同一形状の円板状金属プレートを締め付けるために使用するプレート締め付け用工具であって、
回転工具が挿着される駆動軸と、
この駆動軸の一端側にその中心部が垂直になるよう固着された板状部と、
この板状部の反駆動軸側面周縁における前記円板状金属プレートに形成された複数の孔部と合致する位置に突設された複数の爪部とからなり、
前記板状部の中央に、前記駆動軸側に窪んだ凹部を有することを特徴とするプレート締め付け用工具。
【請求項２】
前記板状部が長方形であり、その両端近傍に爪部が形成されていることを特徴とする請求項１に記載のプレート締め付け用工具。
【請求項３】
前記板状部が円板状であり、その周縁に２つ以上の爪部が形成されていることを特徴とする請求項１に記載のプレート締め付け用工具。
【請求項４】
前記駆動軸がナット形状であることを特徴とする請求項１〜３のいずれか１項に記載のプレート締め付け用工具。
【請求項５】
請求項１〜４のいずれか１項に記載のプレート締め付け用工具を用いてコンクリート系パネル表面に形成した円形座堀穴の中心に配設固定された棒状金具の先端に、前記円形座堀穴とほぼ同一形状の円板状金属プレートを締め付けるに際し、前記棒状金具の先端と、前記円板状金属プレートの中心に設けられたネジ孔とを位置合わせした状態で、前記プレート締め付け用工具の板状部から突出している複数の爪部を、前記円板状金属プレートの周縁に形成された複数の孔部に係合し、次いで回転工具を用いて前記駆動軸に回転を与えることを特徴とする円板状金属プレートの締め付け方法。
【請求項６】
前記回転工具として、ラチェットレンチ、ドリル、インパクトレンチ、スクリュードライバーおよびハンドルから選ばれたいずれかを用いることを特徴とする請求項５に記載の円板状金属プレートの締め付け方法。
【発明の詳細な説明】
【０００１】
【発明の属する技術分野】
本発明は、コンクリート系パネルの表面に設けた円形座堀穴の中心に配設固定された棒状金具の先端に前記円形座堀穴とほぼ同一形状の円板状金属プレートを締め付けるために使用するプレート締め付け用工具およびこのプレート締め付け用工具を使用して円板状金属プレートを締め付ける方法に関するものである。さらに詳しくは、円板状金属プレートの締め付け作業性が優れると共に、十分な締め付け強度が取得可能なプレート締め付け用工具、およびこのプレート締め付け用工具を使用して円板状金属プレートを容易かつ正確に締め付ける方法に関するものである。
【０００２】
【従来の技術】
ＡＬＣパネル（軽量気泡コンクリート壁パネル）、中空パネルおよびＰＣ板などのコンクリート系パネルは、いわゆるコンクリート板に比べて多孔質であるため、軽量性および断熱性がすぐれており、これらの特性を生かして建築材料、例えば建物の内外壁用パネルや屋根パネルとして広く使用されている。
【０００３】
そして、これらのコンクリート系パネルを建物の鉄骨梁に取付ける構法としては、例えばモルタルなどを使用して両者を接合せしめることからなる湿式の構法が従来主流を占めていた。しかし、このような湿式の構法では、モルタルなどの接合材の硬化に長時間を要するばかりか、乾式構法に比べて強固な取付構造を形成できないという問題があり、近年では、湿式に代る乾式の構法が実現されつつある。
【０００４】
本発明者らは、コンクリート系パネルを取付け固定する乾式構法の一つとして、図７に示した構法を先に特願２００１−１４２３３１号として提案した。
【０００５】
すなわち、図７に示した乾式構法は、ＡＬＣパネル１，１を複数敷き並べた状態で建物の鉄骨梁２上に固定する取付構造であって、ＡＬＣパネル１，１の小口端部の上面に、この小口端部を跨ぐように形成した円形座堀穴３と、この円形座堀穴３とほぼ同形状および同厚みの円板状金属プレート５と、この円板状金属プレート５の中心部を貫通したねじ孔６と、下部を前記鉄骨梁２に固定してＡＬＣパネル１，１の厚みととほぼ同一の高さとなるように、前記鉄骨梁２から上方へ起立した棒状金具４とから構成されるものである。そして、前記円形座堀穴３内に配置した円板状金属プレート５のねじ孔６と、棒状金具４の先端（ボルト部）とを締め付けることにより、円板状金属プレート５と鉄骨梁２との間にＡＬＣパネル１を固定するようにしたものである。
【０００６】
そして、上記の構法において、円板状金属プレート５のねじ孔６と、棒状金具４の先端（ボルト部）との締め付け作業は、図示したような治具、具体的には先端に二つの爪部９，９と、後端に把手８ａを有する回転ハンドル８を用い、この回転ハンドル８の爪部９，９を、円板状金属プレート５の周縁に形成した孔部７，７に差し込み、回転ハンドル８の把手８ａを所望の方向に回転させることにより行っていた。
【０００７】
しかしながら、上記円板状金属プレート５の締め付け作業においては、円板状金属プレート５がＡＬＣパネル１，１の表面に当接して摩擦が大きいため、大きな締め付けトルクが必要となり、十分な締め付け強度で円板状金属プレート５を固定することが難しかった。さらに、締め付け時に掛ける力によって回転ハンドル８が傾き、爪部９，９が孔部７，７から滑って外れやすく作業性が悪いばかりか、このような場合には回転ハンドル８によってＡＬＣパネル１，１の表面を傷付けてしまうという問題があった。
また、座堀穴３の深さや棒状金具４の寸法またはそれらの施工精度によっては、円板状金属プレート５の締め付けが進んだときに、棒状金具４の先端が円板状金属プレート５の面位置から突出してしまい、その結果、回転ハンドル８の表面に当たり、それ以上の締め付けができなくなるという不具合があった。
【０００８】
【発明が解決しようとする課題】
本発明は、上述した従来技術における問題点の解決を課題として検討した結果達成されたものである。
【０００９】
したがって、本発明の目的は、円板状金属プレートの締め付け作業性が優れると共に、十分な締め付け強度が取得可能なプレート締め付け用工具、およびこのプレート締め付け用工具を使用して円板状金属プレートを容易かつ正確に締め付ける方法を提供することにある。
【００１０】
【課題を解決するための手段】
上記の目的を達成するために、本発明のプレート締め付け用工具は、コンクリート系パネルの表面に形成した円形座堀穴の中心に配設固定された棒状金具の先端に、前記円形座堀穴とほぼ同一形状の円板状金属プレートを締め付けるために使用するプレート締め付け用工具であって、
回転工具が挿着される駆動軸と、
この駆動軸の一端側にその中心部が垂直になるよう固着された板状部と、
この板状部の反駆動軸側面周縁における前記円板状金属プレートに形成された複数の孔部と合致する位置に突設された複数の爪部とからなり、
前記板状部の中央に、前記駆動軸側に窪んだ凹部を有することを特徴とする。
【００１１】
なお、本発明のプレート締め付け用工具においては、下記の（１）〜（３）が、いずれも好ましい条件として挙げられ、これらの条件を適用した場合には、さらに優れた効果の取得を期待することができる。
【００１２】
（１）前記板状部が長方形であり、その両端近傍に爪部が形成されていること、
（２）前記板状部が円板状であり、その周縁に２つ以上の爪部が形成されていること、
（３）前記駆動軸がナット形状であること。
【００１３】
また、本発明の円板状金属プレートの締め付け方法は、プレート締め付け用工具を用いてコンクリート系パネル表面に形成した円形座堀穴の中心に配設固定された棒状金具の先端に、前記円形座堀穴とほぼ同一形状の円板状金属プレートを締め付けるに際し、前記棒状金具の先端と、前記円板状金属プレートの中心に設けられたネジ孔とを位置合わせした状態で、前記プレート締め付け用工具の板状部から突出している複数の爪部を、前記円板状金属プレートの周縁に形成された複数の孔部に係合し、次いで回転工具を用いて前記駆動軸に回転を与えることを特徴とする。
【００１４】
そして、上記円板状金属プレートの締め付け方法においては、前記回転工具として、ラチェットレンチ、ドリル、インパクトレンチ、スクリュードライバーおよびハンドルから選ばれたいずれかを用いることが好ましい条件である。
【００１５】
【発明の実施の形態】
以下に、図面を参照しつつ、本発明のプレート締め付け用工具および円板状金属プレートの締め付け方法について詳述する。
【００１６】
図１は本発明のプレート締め付け用工具の一例を示す側面図、図２は同じく底部側平面図、図３は本発明のプレート締め付け用工具の他の一例を示す底部側平面図、図４は本発明のプレート締め付け用工具を使用して円板状金属プレートを締め付ける方法の一例を示す斜視図、図５および図６は同じく他の締め付け方法の一例を示す斜視図である。
【００１７】
なお、本発明で使用するコンクリート系パネルとしては、ＡＬＣパネル、中空パネルおよびＰＣ板などの軽量パネルが挙げられるが、以下はその代表例であるＡＬＣパネルを使用し、これを屋根材として建物の鉄骨梁に取付けた構造について説明する。
【００１８】
まず、図１〜図３にしたがって、本発明のプレート締め付け用工具について説明する。
【００１９】
図１および２に示したように、本発明のプレート締め付け用工具１０は、回転工具が挿着される駆動軸１１と、この駆動軸１１の一端側にその中心部が垂直になるよう固着された板状部１２と、この板状部１２の反駆動軸１１側面周縁における円板状金属プレート５に形成された複数の孔部７，７と合致する位置に突設された複数、この例では２つの爪部１３，１３とから構成されている。
【００２０】
そして、板状部１２の中央には、駆動軸１１側に窪んだ凹部１４が形成されており、この凹部１４は、円板状金属プレート５の締め付けが進んでも、棒状金具４の先端がプレート締め付け用工具１０に当たらないように機能する。
これによって座堀穴３の深さや棒状金具４先端長さなどの寸法誤差およびそれらの施工精度によって、棒状金具４の先端が円板状金属プレート５の面位置から突出することになったとしても、プレート締め付け用工具１０に干渉することなく最後まで締め付けることが可能となり、十分な締め付け強度を得ることができる。
【００２１】
板状部１２の中央の凹部は、一枚のプレートの両端に別のプレート片を貼着させて形成しても、１枚のプレートをそのまま折曲させて形成しても良い。
なお、凹部１４の深さは、板状部１２の底面から駆動軸１１側に掛けて１〜８ｍｍ程度で十分である。また、１枚のプレートからなる板状部１２を折曲させて形成する凹部１４の場合、その製造の容易さから２〜６ｍｍが望ましい。
【００２２】
また、駆動軸１１は、四角または六角のナット形状をしていることが望ましく、これにより後述する回転工具の挿着が容易となる。
【００２３】
本発明のプレート締め付け用工具１０の各部は、鉄、ステンレス鋼、アルミニウム、強化アルミ合金などの金属により構成されるが、特に爪部１３部分は変形または摩耗しにくいように高質化されていることが好ましい。そして、駆動軸１１、板状部１２および爪部１３の各部は溶接によりそれぞれ固着されている。
【００２４】
図１および図２に示した実施例では、板状部１２を長方形とし、その長手方向の両端近傍に２つの爪部１３を設けているが、図３に示した実施例は、板状部１２を円板状とし、その周縁に３つの爪部１３を設けた点が相違している。このように爪部１３を３つ以上の複数とすることによって、締め付け時のプレート締め付け用工具１０の回転伝達をより安定に保つことができる。なお、この場合には円板状金属プレート５の孔部７も爪部１３と同数の複数とする必要がある。
なお、板状部１２は、角部を面取りあるいは端部を円弧状とした長方形状であると、回転時に板状部１２の角部が座堀穴３の壁面と干渉しないため、板上部１２の端部近くに爪部１３を設定できる。これにより、駆動軸１１からの回転トルクをさらに有効に円盤状金属プレート５に伝達できるようになり好ましい。
【００２５】
次に、上記の構成からなる本発明のプレート締め付け用工具１０を使用してパネル表面の円形座堀穴に円板状金属プレートを締め付ける方法の具体例について、図４〜図７にしたがって説明する。
【００２６】
図７に示したように、鉄骨梁２上には複数のＡＬＣパネル１，１が敷き並べた状態にあり、ＡＬＣパネル１，１の小口端部には、下部を鉄骨梁２に固着し、ＡＬＣパネル１，１の厚みととほぼ同一の高さとなるように、鉄骨梁２から上方へ起立した棒状金具４が配置されており、棒状金具４の先端は図示したようにボルト形状となっている。
【００２７】
この棒状金具４の形状としては、Ｉ字型、Ｌ字型および逆Ｔ字型などが挙げられるが、鉄骨梁２との溶接固定強度を確実なものにするためには、Ｌ字型または逆Ｔ字型の所謂フックボルトと称されるものの使用が好ましい。
【００２８】
そして、円形座堀穴３は、ＡＬＣパネル１，１の小口端部の上面を跨ぐようにして、かつ使用する円板状金属プレート５とほぼ同形状および同じ深さとなるようにして切削形成する必要がある。また、この円形座堀穴３は、使用するＡＬＣパネル１，１の数や、目的とする取付け強度などを考慮しつつ、複数敷き並べたＡＬＣパネル１，１の短辺小口または長辺小口を突き合わせた所望の小口端部に必要な数だけ設けられている。
【００２９】
本発明の方法により円形座堀穴３に円板状金属プレート５を締め付けるに際しては、まず、図４に示したように、棒状金具４の先端ボルト部と、円板状金属プレート５の中心に設けられたネジ孔６とを位置合わせした状態で、プレート締め付け用工具１０の板状部１２から突出している複数の爪部１３，１３を、円板状金属プレート５の周縁に形成された複数の孔部７，７に係合し、次いで回転工具を用いて駆動軸１１に回転を与える。
【００３０】
図４に示した実施例では、回転工具としてラチェットレンチ１５を用いており、ラチェットレンチ１５の環状部１５ａをＭ１２のナット形状の駆動軸１１に嵌合し、ハンドル部１５ｂに力を掛けることによって、円板状金属プレート５を棒状金具４のボルト部へと締め付ける。
【００３１】
図５に示した実施例では、回転工具としてインパクトレンチ１６を用いており、インパクトレンチ１６の先端をナット形状の駆動軸１１に嵌合し、インパクトレンチ１６を駆動することによって、円板状金属プレート５を棒状金具４のボルト部へと締め付ける。
【００３２】
また、図６に示した実施例では、回転工具としてハンドル１７を用いている。ナット形状の駆動軸１１上端に設けれた雌ねじ部に、ハンドル１７の中心を貫通するボルト１８を螺合させることによりハンドルを駆動軸１１に固定し、そのハンドル１７の両端に力を掛けることによって、円板状金属プレート５を棒状金具４のボルト部へと締め付ける。
また、駆動軸１１の上面に十字穴を設けておくと、回転工具としてスクリュードライバーを使用することが可能となる。
【００３３】
上記の方法のいずれの場合においても、駆動軸１１が棒状金具４と同軸であるため、円板状金属プレート５を上方から押さえながら締め付けることができ、締め付け時にプレート締め付け用工具１０が滑って爪部１３が孔部７，７から外れることがなく、すぐれた締め付け作業性のもとに円板状金属プレートを容易かつ正確に締め付けることができる。
【００３４】
また、円板状金属プレート５の締め付けが進んでも、棒状金具４の先端がプレート締め付け用工具１０に当たらないように凹部１４が機能するため、座堀穴３の深さや棒状金具４先端長さなどの寸法誤差およびその施工精度によって、棒状金具４の先端が円板状金属プレート５の面位置から突出することになったとしても、プレート締め付け用工具１０に干渉することなく最後まで締め付けることが可能となリ、十分な締め付け強度を得ることができる。
【００３５】
さらに、駆動軸１１をナット形状にしたことによって、ラチェットレンチ１５、インパクトレンチ１６、ハンドル１７およびドリル、スクリュードライバーなどの回転工具を使用することができるため、優れた締め付け作業性と共に、十分な締め付け強度が取得可能である。
【００３６】
【実施例】
次に、実施例により本発明の構成・効果をさらに説明する。
【００３７】
厚み１００ｍｍ、長さ２０００ｍｍ、幅６００ｍｍのＡＬＣ屋根パネルの小口面に位置する鉄骨梁上に、直径１２ｍｍ、底辺長さ４０ｍｍ、高さ１００ｍｍのＬ字型棒状金具を溶接固定し、この棒状金具の直立部を中心軸とする深さ６．５ｍｍ、直径１２５ｍｍの円形座堀穴に、厚み６．０ｍｍ、直径１２０ｍｍの円板状金属プレートを締め付け固定した。
【００３８】
この場合に、プレート締め付け用工具として、六角ナット形状の駆動軸の長さを５０ｍｍ、Ｍ１２のナット径、そして端部を円弧状とした丸長方形の板状部の長辺長さを１２０ｍｍ、短辺長さを３０ｍｍ、厚みを６ｍｍ、凹部深さを６ｍｍとし、板状部の両端近傍に長さ６ｍｍの爪部を設け、駆動軸の一端にインパクトレンチを挿着したプレート締め付け用工具を用意した。
【００３９】
上記のプレート締め付け用工具を使用して円板状金属プレートを締め付けるに際し、まず棒状金具の先端ボルト部と、円板状金属プレートの中心に設けられたネジ孔とを位置合わせした状態で、プレート締め付け用工具の板状部から突出している複数の爪部を、円板状金属プレートの周縁に形成された複数の孔部に係合し、次いでインパクトレンチを使用して締め付けた。その結果、優れた締め付け作業性のもとに、容易かつ十分な締め付けトルクで円板状金属プレートを締め付けることができた。
【００４０】
【発明の効果】
本発明のプレート締め付け用工具および円板状金属プレートの締め付け方法によれば、以下のようなすぐれた効果が得られる。
【００４１】
（ａ）駆動軸が棒状金具と同軸であるため、円板状金属プレートを上方から押さえながら締め付けることができ、締め付け時にプレート締め付け用工具が滑って爪部が孔部から外れることがなく、優れた締め付け作業性のもとに容易かつ十分な締め付けトルクでプレートを締め付け固定することができる。
【００４２】
（ｂ）また、円板状金属プレートの締め付けが進んでも、棒状金具の先端がプレート締め付け用工具に当たらないように凹部が機能する。
このため、ＡＬＣパネル１，１の厚みや棒状金具先端長さの寸法誤差およびそれらの施工精度によって、棒状金具の先端が円板状金属プレートの面位置から突出することになったとしても、プレート締め付け用工具に干渉することなく最後まで締め付けることが可能となり、十分な締め付け強度を得ることができる。
【００４３】
（ｃ）駆動軸をナット形状にしたことによって、ラチェットレンチ、ドリル、インパクトレンチおよびハンドルなどの回転工具を使用することができるため、優れた締め付け作業性と共に、十分な締め付け強度が取得可能である。
【図面の簡単な説明】
【図１】本発明のプレート締め付け用工具の一例を示す側面図である。
【図２】同じく底部側平面図である。
【図３】本発明のプレート締め付け用工具の他の一例を示す底部側平面図である。
【図４】本発明のプレート締め付け用工具を使用して円板状金属プレートを締め付ける方法の一例を示す斜視図である。
【図５】同じく他の締め付け方法の一例を示す斜視図である。
【図６】同じく他の締め付け方法の一例を示す斜視図である。
【図７】従来の乾式構法により形成されたコンクリート系パネルの取付構造およびその取付方法を示す斜視図である。
【符号の説明】
１　　　　ＡＬＣパネル
２　　　　鉄骨梁
３　　　　円形座堀穴
４　　　　棒状金具
５　　　　円板状金属プレート
６　　　　ねじ孔
７　　　　孔部
８　　　　回転ハンドル
９　　　　爪部
１０　　　　プレート締め付け用工具
１１　　　　駆動軸
１２　　　　板状部
１３　　　　爪部
１４　　　　凹部
１５　　　　ラチェットレンチ（回転工具）
１６　　　　インパクトレンチ（回転工具）
１７　　　　ハンドル（回転工具）
１８　　　　ボルト
【図１】
2004052402.tif 000003
【図２】
2004052402.tif 000004
【図３】
2004052402.tif 000005
【図４】
2004052402.tif 000006
【図５】
2004052402.tif 000007
【図６】
2004052402.tif 000008
【図７】
2004052402.tif 000009